(57)【要約】【課題】  音のエネルギーが原因で生じる振動を軽減する電子機器および音量調整方法を提供することを目的とする。【解決手段】  チューナによって受信された放送信号をＨＤＤに録画中の状態またはＨＤＤに記憶されているデータの再生中の状態におけるスピーカから放射される音の大きさを、チューナ１２によって受信された放送信号をＨＤＤに録画中ではない状態およびＨＤＤ１４に記憶されているデータの再生中ではない状態におけるスピーカから放射される音の大きさよりも、スピーカから放射される音の大きさが最大値に近づくにつれて、小さくなるように制御する。【選択図】  図７
2009176363.tif 000002
【特許請求の範囲】
【請求項１】
映像信号および音信号を含むデータを記憶可能な記憶部と、
前記データに含まれる前記音信号を音として放射するスピーカと、
前記スピーカから放射される音の大きさが所定の大きさに達すると、前記記憶部が動作中である場合における前記スピーカから放射される音の大きさを、前記記憶部が動作中ではない場合における前記スピーカから放射される音の大きさよりも小さくする音量制御部と、
を具備することを特徴とする電子機器。
【請求項２】
前記音量制御部は、前記スピーカから放射される音の大きさが所定の大きさに達すると、前記データを前記記憶部へ記憶動作中の状態における前記スピーカから放射される音の大きさを、前記データを前記記憶部へ記憶動作中ではない状態における前記スピーカから放射される音の大きさよりも小さくする音量制御部であることを特徴とする請求項１記載の電子機器。
【請求項３】
前記音量制御部は、前記スピーカから放射される音の大きさが所定の大きさに達すると、前記記憶部に記憶されているデータを再生中の状態における前記スピーカから放射される音の大きさを、前記データを再生中ではない状態における前記スピーカから放射される音の大きさよりも小さくする音量制御部であることを特徴とする請求項１記載の電子機器。
【請求項４】
映像信号および音信号を含む放送信号を受信するチューナと、
前記チューナによって受信された放送信号を記憶可能な磁気ディスク装置と、
前記チューナによって受信された放送信号に含まれる音信号を音として放射するスピーカと、
前記磁気ディスク装置が動作中であるか否かを判断するコントローラと、
前記スピーカから放射される音の大きさが所定の大きさに達すると、前記コントローラによって前記磁気ディスク装置が動作中の状態と判断された場合における前記スピーカから放射される音の大きさを、前記コントローラによって前記磁気ディスクが動作中ではない状態と判断された場合における前記スピーカから放射される音の大きさよりも小さくする音量制御部と、
を具備することを特徴とする電子機器。
【請求項５】
前記コントローラは、前記放送信号を前記磁気ディスクへ記憶動作中の状態であるか否かを判断するコントローラであり、
前記音量制御部は、前記スピーカから放射される音の大きさが所定の大きさに達すると、前記コントローラによって前記放送信号を前記磁気ディスクへ記憶動作中の状態と判断された場合における前記スピーカから放射される音の大きさを、前記コントローラによって前記放送信号を前記磁気ディスクへ記憶動作中ではない状態と判断された場合における前記スピーカから放射される音の大きさよりも小さくする音量制御部であることを特徴とする請求項４記載の電子機器。
【請求項６】
前記コントローラは、前記磁気ディスクに記憶されているデータを再生中の状態であるか否かを判断するコントローラであり、
前記音量制御部は、前記スピーカから放射される音の大きさが所定の大きさに達すると、前記コントローラによって前記磁気ディスクに記憶されているデータを再生中の状態と判断された場合に前記スピーカから放射される音の大きさを、前記コントローラによって前記磁気ディスクに記憶されているデータを再生中ではない状態と判断された場合における前記スピーカから放射される音の大きさよりも小さくする音量制御部であることを特徴とする請求項４記載の電子機器。
【請求項７】
映像信号および音信号を含む放送信号を記憶可能な記憶部およびスピーカを有する電子機器にて実行されるスピーカから放射される音の音量調整方法において、
前記記憶部が動作中であるか否かを判断し、
前記記憶部が動作中であると判断した場合、前記スピーカから放射される音の大きさが所定の大きさに達すると、前記記憶部が動作中の状態における前記スピーカから放射される音の大きさを、前記記憶部が動作中ではない状態における前記スピーカから放射される音の大きさよりも小さくすることを特徴とする音量調整方法。
【請求項８】
前記記憶部が記憶動作中であると判断した場合、前記スピーカから放射される音の大きさが所定の大きさに達すると、前記放送信号を前記記憶部へ記憶動作中である状態における前記スピーカから放射される音の大きさを、前記放送信号を前記記憶部へ記憶動作中ではない状態における前記スピーカから放射される音の大きさよりも小さくすることを特徴とする請求項７記載の音量調整方法。
【請求項９】
前記記憶部に記憶されている放送信号が再生動作中であると判断した場合、前記スピーカから放射される音の大きさが所定の大きさに達すると、前記記憶部に記憶されている放送信号が再生中の状態における前記スピーカから放射される音の大きさを、前記記憶部に記憶されている放送信号を再生中ではない状態における前記スピーカから放射される音の大きさよりも小さい値にすることを特徴とする請求項７記載の音量調整方法。
【発明の詳細な説明】
【技術分野】
【０００１】
本発明は、放送信号を受信可能な電子機器に関し、特に、受信した放送信号に含まれる音信号をスピーカから音として出力可能であるとともに受信した放送信号を記憶部に記憶することが可能な電子機器に関する。
【背景技術】
【０００２】
近年、映像・音信号を含む放送信号を記憶媒体に録画可能および録画した放送信号を再生可能な電子機器の開発が進められている。
【０００３】
従来、放送信号の録画が可能な電子機器において、外界からの例えば地震といった振動が原因となる録画状態中のＨＤＤの故障を回避するために、検出した振動のレベルに応じて、ＨＤＤへの録画状態を変化させる技術があった。
【特許文献１】特開２００７−２７３０４３号公報（第５頁、第７図）
【発明の開示】
【発明が解決しようとする課題】
【０００４】
例えば地震といった不定期的で突発的な振動に対しては、特許文献１の技術に開示されているように、振動を検出し、例えばＨＤＤへの録画を停止させることで、ＨＤＤの故障を回避することが可能である。
【０００５】
電子機器に与えられる振動として、外界からの振動以外に電子機器自身が生成する振動がある。例えば、電子機器に取り付けられているスピーカから放射される音のエネルギーによって生成される振動等である。
【０００６】
このスピーカから放射される音のエネルギーによって生成される振動が原因となって、記憶媒体に録画される映像データ、再生される映像データの画質が低下する場合がある。
【０００７】
そこで、本発明は、音のエネルギーが原因で生じる振動を軽減可能な電子機器および音量調整方法を提供することを目的とする。
【課題を解決するための手段】
【０００８】
上記目的を達成するために、請求項１に関わる電子機器は、映像信号および音信号を含むデータを記憶可能な記憶部と、前記データに含まれる前記音信号を音として放射するスピーカと、前記スピーカから放射される音の大きさが所定の大きさに達すると、前記記憶部が動作中である場合における前記スピーカから放射される音の大きさを、前記記憶部が動作中ではない場合における前記スピーカから放射される音の大きさよりも小さくする音量制御部とを具備することを特徴とする。
【０００９】
また、請求項４に関わる電子機器は、映像信号および音信号を含む放送信号を受信するチューナと、前記チューナによって受信された放送信号を記憶可能な磁気ディスク装置と、前記チューナによって受信された放送信号に含まれる音信号を音として放射するスピーカと、前記磁気ディスク装置が動作中であるか否かを判断するコントローラと、前記スピーカから放射される音の大きさが所定の大きさに達すると、前記コントローラによって前記磁気ディスク装置が動作中の状態と判断された場合における前記スピーカから放射される音の大きさを、前記コントローラによって前記磁気ディスクが動作中ではない状態と判断された場合における前記スピーカから放射される音の大きさよりも小さくする音量制御部と、を具備することを特徴とする。
【００１０】
また、請求項７に関わる音量調整方法は、映像信号および音信号を含む放送信号を記憶可能な記憶部およびスピーカを有する電子機器にて実行されるスピーカから放射される音の音量調整方法において、前記記憶部が動作中であるか否かを判断し、前記記憶部が動作中であると判断した場合、前記スピーカから放射される音の大きさが所定の大きさに達すると、前記記憶部が動作中の状態における前記スピーカから放射される音の大きさを、前記記憶部が動作中ではない状態における前記スピーカから放射される音の大きさよりも小さくすることを特徴とする。
【発明の効果】
【００１１】
本発明によれば、音のエネルギーが原因で生じる振動を軽減可能な電子機器および音量調整方法を提供することが可能となる。
【発明を実施するための最良の形態】
【００１２】
図１は、デジタルテレビの一例を示す図である。
【００１３】
デジタルテレビ１は、本体部２０および本体部２０を支えるスタンド部２１とから構成される。
【００１４】
本体部２０の前面にはＬＣＤ１３が組み込まれている。また、本体部２０は、磁気ディスクドライブ（ＨＤＤ（Hard Disk Drive））１４およびスピーカ１７ａ，１７ｂを内蔵する。
【００１５】
ＨＤＤ１４は、ＬＣＤ１３の下部側に設けられる。これは、ＬＣＤ１３の上部の温度よりも下部の温度のほうが相対的に低いので、ＨＤＤ１４に対する熱影響がＬＣＤ１３の上部よりも下部のほうが小さくなることを考慮した設計である。
【００１６】
また、スピーカ１７ａ，１７ｂは、デジタルテレビ１の前面の下部に位置するように設けられる。
【００１７】
従って、図１に示すように、ＨＤＤ１４が設けられる位置はスピーカ１７ａが設けられる位置と近くなり、ＨＤＤ１４は、スピーカ１７ａから放射される音のエネルギーによるスピーカ１７ａの振動等の影響を受けることになる。次に、デジタルテレビ１のハードウェア構成について説明する。
【００１８】
図２は、デジタルテレビ１のハードウェア構成の一例について説明した図である。
【００１９】
チューナ１２は、チューナ１２に接続されるアンテナ１２ａを介して放送信号を受信する。例えばＭＰＥＧ２、ＭＰＥＧ４といったＭＰＥＧ形式でエンコードされたストリームデータを受信する。
【００２０】
映像・音声処理部１１は、チューナ１２から入力された放送信号に含まれる映像・音信号を処理する。映像・音声処理部１１での処理によって生成された信号のうち、映像系の信号は、ディスプレイ１３に出力される。一方、映像・音声処理部１１での処理によって生成された信号のうち、音系の信号は、音量制御回路１５に出力される。
【００２１】
音量制御回路１５は、ユーザによって指定された音の大きさの値を決定する。音量制御回路１５から出力された信号は、音量制御回路１５と接続されているアンプ１６に入力される。アンプ１６は音量制御回路１５から出力された信号を増幅する。
【００２２】
アンプ１６によって増幅された信号は、アンプ１６と接続されているスピーカ１７ａ，１７ｂによって物理振動に変換され、スピーカ１７ａ，１７ｂから音として放射される。
【００２３】
ＨＤＤ１４は、チューナ１２によって受信された放送信号を記憶する。
【００２４】
コントローラ１０は、デジタルテレビ１の主な動きを制御する。このコントローラ１０は、リモコン２から送信されるコマンドをデコードし、コマンド内容に応じて各制御を実行する。
【００２５】
ユーザの操作に応じてリモコン２からコントローラ１０に対してコマンドを送信可能とするために、図３に示すように、リモコン２には例えば押下操作可能なボタンが設けられる。例えば、チューナ１２によって受信された放送信号をＨＤＤ１４に記憶させる場合に押下げ操作される"録画ボタン"２ａ、ＨＤＤ１４に記憶されているデータの再生動作を開始させる場合に押下げ操作される"再生開始ボタン"２ｂ、スピーカ１７ａ，ｂから放射される音の大きさを大きくするために操作される音量アップ調整部２ｃ１と音の大きさを小さくするために操作される音量ダウン調整部２ｃ２とから構成される"音量調整ボタン"２ｃ等が設けられる。以下、コマンド内容に応じた制御内容の一例を説明する。
【００２６】
<録画開始コマンド>コントローラ１０は、リモコン２に設けられている録画ボタン２ａの押下げ操作に伴ってリモコン２から送信されてきた"録画開始コマンド"を受信すると、コントローラ１０内に設けられるレジスタのうち、録画動作中の状態であるか否かを示すレジスタ（以下、"録画状態表示レジスタ"と称す。）に対して、録画動作中の状態であることを示すビットを立てる。さらに、コントローラ１０は、映像・音声処理部１１およびＨＤＤ１４を制御することで、チューナ１２によって受信された放送信号を映像・音声処理部１１を介してＨＤＤ１４に記憶させる。
【００２７】
<再生コマンド>コントローラ１０は、リモコン２に設けられている再生開始ボタン２ｂの押下げ操作に伴ってリモコン２から送信されてきた"再生開始コマンド"を受信すると、コントローラ１０内に設けられるレジスタのうち、再生動作中の状態であるか否か示すレジスタ（以下、"再生状態表示レジスタ"と称す。）に対して、再生動作中の状態であることを示すビットを立てる。さらに、コントローラ１０は、映像・音声処理部１１およびＨＤＤ１４を制御することで、ＨＤＤ１４に記憶されているデータを映像・音声処理部１１に転送させ、ＨＤＤ１４に記憶されているデータの再生動作を開始する。
【００２８】
<音量コントロールコマンド>コントローラ１０は、リモコン２に設けられている音量調整ボタン２ｃの押下げ操作に伴ってリモコン２から送信されてきた"音量コントロールコマンド"を受信すると、コントローラ１０内に設けられる音量調整器の調整量を示すカウンタの値を更新する。
【００２９】
音量調整器とは、例えば、リモコン２といった音量を調整するためのデバイスである。
【００３０】
例えば、リモコン２に設けられている音量調整ボタン２ｃの音量アップ調整部２ｃ１の押下げ操作を行うことでリモコン２から送信されてきた"音量を一段階アップすることを示すコマンド"を受信すると、音量調整器の調整量を示すカウンタの値を一つアップするように更新し、リモコン２に設けられている音量調整ボタン２ｃの音量ダウン調整部２ｃ２の押下げ操作を行うことでリモコン２から送信されてきた"音量を一段階ダウンすることを示すコマンド"を受信すると、音量調整器の調整量を示すカウンタの値を一つダウンするように更新する。
【００３１】
音量を最小にしたい場合、音量ダウン調整部２ｃ２を何度か押下げ操作することで音量調整器の調整量を"０"とし、一方、音量を最大にしたい場合、音量アップ調整部２ｃ１を何度か押下げ操作することで音量調整器の調整量を"最大調整量"とする。
【００３２】
さらに、コントローラ１０は、音量調整器の調整量を示すカウンタを参照して、図４（１）（２）（３）に示すように、ＬＣＤ１３に表示される音量インジケータ１３ａ，１３ｂおよび１３ｃを準備する。
【００３３】
この音量インジケータは、音量調整ボタン２ｃの有する音量アップ調整部２ｃ１を押下げ操作すると、図４（２）に示すように、音量を示すバーの長さが長くなる。一方、音量調整ボタン２ｃの有する音量ダウン調整部２ｃ２を押下げ操作すると、図４（２）に示すように、音量を示すバーの長さが短くなる。  例えば、音量ダウン調整部２ｃ２を何度か押下げ操作することで音量調整器の調整量を"０"とした場合、音量インジケータのバーの長さは、最小長となり、一方、音量アップ調整部２ｃ１を何度か押下げ操作することで音量調整器の調整量を"最大調整量"とした場合、音量インジケータのバーの長さは、最大長となる。
【００３４】
コントローラ１０は、上述にて説明した録画状態表示レジスタおよび再生状態表示レジスタのビットの状態、音量調整器の調整量を示すカウンタの状態に応じて音量制御回路１５を制御する。コントローラ１０による音量制御回路１５の制御については、後述にて詳細に説明する。
【００３５】
本発明に関わる音量制御回路１５は、音量調整器の調整量に対して２種類のゲイン値のうちのいずれかのゲイン値をとる特性を有する。この特性について、以下、図５および図６を用いて説明する。
【００３６】
図５は、音量調整器の調整量とゲイン値との関係、および、音量調整器の調整量と音の大きさとの関係を示す第１のグラフである。
【００３７】
まず、図５の（１）について説明する。図５の（１）は、音量調整器の調整量とゲイン値との関係を示したグラフｇ１である。ここで、図５の（１）のグラフｇ１の横軸に"（音量調整器の調整量）／（最大調整量）"を示す。また、図５の（１）のグラフｇ１の縦軸に"ゲインの値"を示す。
【００３８】
図５の（１）の横軸に示す"音量調整器の調整量"とは、上述にて説明したようにコントローラ１０に設けられるカウンタによって示される量である。"音量調整器の調整量"の取り得る値は、音量が最小になる"０"から、音量が最大になる"最大調整量"までである。
【００３９】
図５の（１）の横軸に示すように、音量調整器の調整量の値が"０"の場合、"（音量調整器の調整量）／（最大調整量）の値"は０となり、音量調整器の調整量の値が"最大調整量"の場合、"（音量調整器の調整量）／（最大調整量）の値"は１となる。
【００４０】
音量調整器の調整量が"０"から"最大調整量"に向けて増加するに伴い、ゲイン値も増加する、ことを、図５の（１）のグラフｇ１は示している。
【００４１】
音量制御回路１５は、図５の（１）のグラフｇ１が示す特性を有する。
【００４２】
次に、図５の（２）について説明する。図５の（２）は、音量制御回路１５が図５の（１）のグラフｇ１に示す特性を示す場合における、音量調整器の調整量とスピーカ１７から出力される音の大きさとの関係について示したグラフｇ２である。
【００４３】
図５の（１）のグラフｇ１の横軸と同様に、図５の（２）のグラフｇ２の横軸にも、"（音量調整器の調整量）／（最大調整量）の値"を示す。図５の（２）のグラフｇ２の縦軸には、音の大きさの値を示す。
【００４４】
図５の（２）の横軸に示すように、音量調整器の調整量が"０"の場合、"（音量調整器の調整量）／（最大調整量）の値"は０になり、音量調整器の調整量が"最大調整量"の場合、"（音量調整器の調整量）／（最大調整量）の値"は１となる。
【００４５】
音量調整器の調整量が"０"から"最大調整量"に向けて増加するに伴い、スピーカ１７ａ，１７ｂから放射される音の大きさも増加することを、図５の（２）のグラフｇ２は示している。
【００４６】
図６は、音量調整器の調整量とゲイン値との関係、および、音量調整器の調整量と音の大きさとの関係を示す第２のグラフである。
【００４７】
まず、図６の（１）について説明する。図６の（１）のグラフｇ３が示す特性は、図５の（１）のグラフｇ１が示す特性と似ているので、図５の（１）のグラフｇ１と比較して異なる特性について説明する。
【００４８】
図６の（１）のグラフｇ３が示す特性は、図５の（１）のグラフｇ１が示す特性と比較して、横軸に示す"（音量調整器の調整量）／（最大調整量）の値"が"０．５"から"１"に増加する場合における縦軸に示すゲイン値の増加量が異なる、という特徴を有する。
【００４９】
ここで、横軸に示す"（音量調整器の調整量）／（最大調整量）の値"が"０"から"０．５"を取る範囲とは、ユーザによって頻繁に使用される音の大きさを実現する範囲であり、横軸に示す"（音量調整器の調整量）／（最大調整量）の値"が"０．５"から"１"を取る範囲とは、ユーザによって使用される頻度が小さい音の大きさを実現する範囲である。
【００５０】
すなわち、図５の（１）のグラフｇ１にて横軸に示す"（音量調整器の調整量）／（最大調整量）の値"が"０．５"から"１"に増加する場合における縦軸に示すゲイン値の増加量よりも、図６の（１）のグラフｇ３にて横軸に示す"（音量調整器の調整量）／（音量調整器の最大調整量）の値"が"０．５"から"１"に増加する場合における縦軸に示すゲイン値の増加量のほうが小さい。
【００５１】
音量制御回路１５の特性は、図６の（１）に示す音量調整器の調整量とゲイン値との関係を有する。
【００５２】
次に、図６の（２）について説明する。図６の（２）は、音量制御回路１５が図６の（１）のグラフｇ３の特性を示す場合における、音量調整器の調整量とスピーカ１７から出力される音の大きさとの関係について示したグラフｇ４である。
【００５３】
図６の（２）のグラフｇ４が示す特性は、図５の（２）のグラフｇ２が示す特性と似ているので、図５の（２）のグラフｇ２と比較して異なる特性について説明する。
【００５４】
図６の（２）のグラフｇ４が示す特性は、図５の（２）のグラフｇ２が示す特性と比較して、横軸に示す"（音量調整器の調整量）／（最大調整量）の値"が"０．５"から"１"に増加する場合における縦軸に示すスピーカ１７から放射される音の大きさの増加量が異なる、という特徴を有する。
【００５５】
すなわち、図５の（２）のグラフｇ２にて横軸に示す"（音量調整器の調整量）／（最大調整量）の値"が"０．５"から"１"に増加する場合における縦軸に示す音の大きさの増加量よりも、図６の（２）のグラフｇ４にて横軸に示す"（音量調整器の調整量）／（最大調整量）の値"が"０．５"から"１"に増加する場合における縦軸に示す音の大きさの増加量のほうが小さい。
【００５６】
図５の（２）のグラフｇ２の横軸に示す"（音量調整器の調整量）／（最大調整量）の値"が"１"の場合における縦軸に示すスピーカ１７から放射される音の大きさＷ１よりも小さい値である、図６の（２）のグラフｇ４の横軸に示す"（音量調整器の調整量）／（最大調整量）の値"が"１"の場合における縦軸に示すスピーカ１７から放射される音の大きさＷ２は、音の大きさＷ１の場合におけるＨＤＤ１４への振動を十分に軽減可能とする音の大きさである。次に、コントローラ１０による音量制御回路１５に対する制御について説明する。
【００５７】
図７は、コントローラ１０による音量制御回路１５に対する制御の手順を示す流れ図である。
【００５８】
コントローラ１０は、録画動作状態表示レジスタにビットが立てられているか否かを確認する（ステップ  Ｓ１００）。コントローラ１０は、録画動作状態表示レジスタにビットが立てられていないと判断した場合（ステップ  Ｓ１００  Ｎｏ）、再生動作状態表示レジスタにビットが立てられているか否かを確認する（ステップ  Ｓ１０１）。
【００５９】
コントローラ１０が、録画動作状態表示レジスタにビットが立てられている（ステップ  Ｓ１００  Ｙｅｓ）、または、再生動作状態表示レジスタにビットが立てられていると判断した場合（ステップ  Ｓ１０１  Ｙｅｓ）、カウンタに示される音量調整機器の調整量を確認する（ステップ  Ｓ１０２）。
【００６０】
コントローラ１０は、レジスタの状況、ステップＳ１０２にて確認した調整量に基づいて、図６の（２）を用いて説明した音の大きさが実現されるように音量制御回路１５に対して制御する（ステップ  Ｓ１０３）。
【００６１】
一方、コントローラ１０が、録画動作状態表示レジスタにビットが立てられていない（ステップ  Ｓ１００  Ｎｏ）、および、再生動作状態表示レジスタにビットが立てられていない（ステップ  Ｓ１０１  Ｎｏ）と判断した場合、カウンタに示される音量調整器の調整量を確認する（ステップ  Ｓ１０４）。
【００６２】
コントローラ１０は、レジスタの状況、ステップＳ１０４にて確認した調整量に基づいて、図５の（２）を用いて説明した音の大きさが実現されるように音量制御回路１５に対して制御する（ステップ  Ｓ１０５）。
【００６３】
チューナ１２によって受信された放送信号をＨＤＤ１４に録画動作中の状態またはＨＤＤ１４に記憶されているデータの再生中の状態である場合における、コントローラ１０によって制御されたスピーカ１７ａ，１７ｂから放射される音の大きさが、チューナ１２によって受信された放送信号をＨＤＤ１４に録画動作中ではない状態およびＨＤＤ１４に記憶されているデータの再生中ではない状態である場合における、コントローラ１０によって制御されたスピーカ１７ａ，１７ｂから放射される音の大きさよりも、スピーカ１７ａ，１７ｂから放射される音の大きさが最大値に近づくにつれて、小さくなるように設計することで、チューナ１２によって受信された放送信号をＨＤＤ１４に録画動作中の状態またはＨＤＤ１４に記憶されているデータの再生中の状態である場合におけるスピーカ１７ａ，１７ｂの振動のＨＤＤ１４への影響を軽減することが可能となる。
【００６４】
従って、スピーカ１７ａ，１７ｂの振動の影響のために、チューナ１２によって受信された放送信号をＨＤＤ１４に映像データの品質を落とすことなく録画することができない、および、録画時、再生時にノイズがかかる、といった録画時・再生時における映像データの画質低下を防ぐことが可能となる。
【００６５】
さらに、上記実施形態では、ＨＤＤ１４を本体部２０に内蔵する場合を説明したが、これに限ることは無く、例えば、スピーカ１７ａ，１７ｂの近くに外付けする場合であってもよい。
【００６６】
さらに、上記実施形態では、スピーカ１７ａ，１７ｂから放射される音の大きさを制御するために、ＨＤＤ１４への放送信号の録画状態、ＨＤＤ１４に録画されているデータの再生状態に応じてコントローラ１０が音量制御回路１５における音の大きさを制御する構成を説明したが、この構成に限ることは無く、例えば、スピーカ１７ａ，１７ｂから放射される音の大きさを制御するために、ＨＤＤ１４への放送信号の録画状態、ＨＤＤ１４に録画されているデータの再生状態に応じてコントローラ１０がアンプ１６における増幅処理を制御する構成であってもよい。
【００６７】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００６８】
【図１】デジタルテレビの一例を示す図。
【図２】デジタルテレビ１のハードウェア構成の一例について説明した図。
【図３】リモコンの一例を示す図。
【図４】ＬＣＤに表示される音量インジケータの一例を示す図。
【図５】音量インジケータ値とゲイン値との関係、および、音量インジケータ値と音の大きさとの関係を示す第１のグラフ。
【図６】音量インジケータ値とゲイン値との関係、および、音量インジケータ値と音の大きさとの関係を示す第２のグラフ。
【図７】コントローラ１０による音量制御回路１５に対するゲイン値制御の手順を示す流れ図。
【符号の説明】
【００６９】
１…デジタルテレビ、２…リモコン、１０…コントローラ、
１１…映像・音声処理部、１２…チューナ、１３…ＬＣＤ、１４…ＨＤＤ、
１５…音量制御回路、１６…アンプ、１７ａ，１７ｂ…スピーカ、
【図１】
2009176363.tif 000003
【図２】
2009176363.tif 000004
【図３】
2009176363.tif 000005
【図４】
2009176363.tif 000006
【図５】
2009176363.tif 000007
【図６】
2009176363.tif 000008
【図７】
2009176363.tif 000009